(57)【特許請求の範囲】
【請求項１】
背部と表表紙及び裏表紙とからなるファイル表紙の内側面に綴じ具を備えると共に前記ファイル表紙の背部の外側面の全体に透明フィルムよりなる背見出しカバーを備え、前記カバーに背見出し紙を差替え可能に差し込むように構成した綴込ファイルにおいて、
前記ファイル表紙の背部及び前記カバーの下端部近くには位置を合致させて設けた手掛用の孔を備え、
前記背見出し紙の端部近くには前記手掛用の孔と対応させて設けた手掛用の孔を備えていることを特徴とする、
綴込ファイル。
【請求項２】
前記ファイル表紙は紙材で構成され、前記カバーの透明フィルムはオレフィン系樹脂で構成され、前記綴じ具は前記ファイル表紙に取外し可能に取り付けてあることを特徴とする、請求項１記載の綴込ファイル。
【発明の詳細な説明】
【０００１】
【発明の属する技術分野】
本発明は各種の書類を綴じ込んで保管する綴込ファイルに関するものである。
【０００２】
【従来の技術】
従来、この種の綴込ファイルとして、ファイル表紙の背部の下端部近くに手掛用の孔を設けた綴込ファイル（従来例１）が知られている。この従来例１のファイルは書類を綴じ込んで棚に並べて置いた際、前記孔に指を入れて綴込ファイルを棚から引出し易いため、高所の棚等にファイルを並べて置いてもファイルの引出し作業が簡単かつ容易に行なえる。
【０００３】
従来の他の綴込ファイルとして、ファイル表紙の背部の外側面に透明フィルムよりなる背見出しカバーを備え、前記カバーに背見出し紙を差替え可能に差し込むように構成した綴込ファイル（従来例２）がある。この従来例２のファイルによれば、背部に分類の項目等の文字等を直接表示することなく、所要の事項を背見出し紙に表記し、これを差し替えて使用できるので、書類の綴じ込み整理等に便利であると共に、綴込ファイルを有効的に使用することが可能になる。
【０００４】
前記のように手掛用の孔を備えた綴込ファイル及び背見出しカバーを備えた綴込ファイルは上記したようにそれぞれの特性を有している。しかし、背見出しカバーと手掛用の孔の両方を備えた綴込ファイルは未だ提案されていない。
【０００５】
【発明が解決しようとする課題】
本発明は前記のようにな実情に鑑み、手掛用の孔及び背見出しカバーの両方の長所を備えた新規な綴込ファイルを提供することを目的とするものである。
【０００６】
【課題を解決するための手段】
前記目的を達成するため、本発明は背部と表表紙及び裏表紙とからなるファイル表紙の内側面に綴じ具を備えると共に前記ファイル表紙の背部の外側面の全体に透明フィルムよりなる背見出しカバーを備え、前記カバーに背見出し紙を差替え可能に差し込むように構成した綴込ファイルにおいて、前記ファイル表紙の背部及び前記カバーの下端部近くには位置を合致させて設けた手掛用の孔を備え、前記背見出し紙の端部近くには前記手掛用の孔と対応させて設けた手掛用の孔を備えていることを特徴とする。
【０００７】
上記発明によれば、背見出し紙の端部近くにファイル表紙の手掛用の孔と対応させて設けた手掛用の孔が形成されているので、背見出し紙を前記カバーに差し込むと、背見出し紙の前記孔はファイル表紙の背部に設けた手掛用の孔と一致させることができる。したがって、前記各孔を通じて指を自由に挿入することができる。また、背見出し紙を差し替えて使用することができる。このように、本発明によれば手掛用の孔及び背見出しカバーの両方の長所を有効的に活用した綴込ファイルが得られる。
【０００８】
本発明においては請求項２記載の発明のように、前記ファイル表紙を紙材で構成すると共に前記カバーの透明フィルムをオレフィン系樹脂で構成し、また、前記綴じ具を前記ファイル表紙に取外し可能に取付けるように構成することもできる。
【０００９】
請求項２記載の発明によれば前記した発明の特性に加え、綴じ具をファイル表紙から取外し、分別して再生資源として有効に利用することができる。他の作用等については追って発明の実施の形態の項で合わせて説明する。
【００１０】
【発明の実施の形態】
以下、図面を参照して本発明の実施の形態の一例を説明する。図１は本発明の綴込ファイルの一実施の形態の全体構成の概要を示す斜視図。図２は同上ファイルを内側面から見た斜視図、図３は同上ファイルの一部を拡大して示す展開表面図、図４は同３のＡ−Ａ線断面図、図５は同上ファイルの綴じ具の取付部分を説明するために示す説明図であって、同図ａは取付部分全体を示す説明図、同図ｂは背部に設けたリベットの取付部分を示す説明図、同図ｃは綴じ具の底板に設けた取付用係合部の部分を示す説明図、図６はファイル表紙の背見出しカバーへ背見出し紙を差し込む状態を示す説明図であって、同図ａは途中まで差し込んだ状態を示す図、同図ｂは最後まで差し込んだ状態を示す図、図７は図６ｂのＢ−Ｂ線で切断し、表表紙及び裏表紙を折り線に沿ってそれぞれ内側に折曲した状態を示す断面図である。
【００１１】
これら図１〜図６において、この実施の形態（実施の形態１）の綴込ファイルはファイル表紙１と、この表紙１に設けられ、任意の書類（図示せず）を綴じ込む綴じ具２と、前記表紙１の背部の外側面に設けた背見出しカバー３と、このカバー３に差替え可能に差し込んで使用する背見出し紙４とを備えてなっている。
【００１２】
前記表紙１は四角形状の肉厚の表紙材１１の中央部に所望の間隔で二本の折り線１２，１２を表紙材１１の上縁から下縁にかけて平行に施すことにより、表紙材１１の中央部に適当な巾の背部１３を、また、その左右両側に表表紙１４及び裏表紙１５を前記折り線１２を介して形成し、前記表表紙１４及び裏表紙１５を両折り線１２に沿ってそれぞれ内側に折曲するように構成してなっている。このファイル表紙の前記構成は従来のファイル表紙と全く同様である。
【００１３】
前記表紙１の素材として紙材を採用してある。これにより、ファイル表紙１を再生資源として有効に利用できるように構成してある。
【００１４】
前記綴じ具２は金属材等で造られ、前記表紙の内側に取外し可能に取付けてある。この実施の形態では前記綴じ具２を前記表紙１の背部１３に取付けたものが開示されている。前記綴じ具２を表紙１に対して取外し可能に取り付ける手段は任意の構成を採用することができる。また、綴じ具２も任意の構成のものを採用することができる。
【００１５】
この実施の形態１では、前記表紙１の背部１３の中央側に適当な間隔を存して設けた四個のリベット２１と、綴じ具２の底板２２に前記リベット２１と対応して設けた四個の取付用係合部２３とを備えている。そして、前記係合部２３は前記リベット２１に係合する長孔２４と、この長孔２４側に開口する盛り上がり部２５とを備えてなっている。これにより、綴じ具２の底板２２の各係合部２３の盛り上がり部２５を前記各リベット２１上に押し当て、その状態で底板２２を長孔２４の形成部側と反対方向へスライドさせて各長孔２４を各リベット２１に係合し、底板２２（したがって、綴じ具２）を背部１３に固定するように構成してある。また、前記の固定状態から、綴じ具２の横を金槌等で叩いて底板２２を前記と反対方向にスライドさせて長孔２４とリベット２１との係合を解除することにより、底板２２（したがって、綴じ具２）を背部１３から取り外すことができるようになっている。
【００１６】
なお、綴じ具２の背部１３への前記取付手段は一例として開示したもので、図示の構成に限定されるものではなく、例えばネジ式やプラスチック製リベットで固定したもの、或いは前記表紙１の背部１３及び前記綴じ具２に、前記底板２２を背部１３に対して着脱自在に係着して固定する取付手段を設けたもの、その他任意の構成に変更可能なもので、要は綴じ具２を表紙１の内側（図示では背部１３）に取外し可能に取り付けるように構成すればよいものである。
【００１７】
前記のように綴じ具２を表紙１に取外し可能に取り付ける構成を採用すると、綴じ具２をファイル表紙１から取外し、分別して再生資源として有効に利用することができる。
【００１８】
前記背見出しカバー３は背部１３の横巾より長目の横巾を有し、かつ、背部１３の高さ（表紙材１１の上縁から下縁までの長さ）と一致する長さの長方形状の透明フィルム３１を用い、前記フィルム３１の両側を前記両折り線１２の外側部に沿って表表紙１４及び裏表紙１５の表面に熱溶着３２，３２して構成されている。これにより、背部１３の外側面には、外側面の全体を覆わせた背見出しカバー３が形成される。
【００１９】
また、図示の実施の形態では、前記フィルム３１の下端両側部を前記両熱溶着３２部に延長させ、それぞれ内側方向に向けて両表紙１４，１５にＬ形状に熱溶着３３，３３し、この熱溶着３３，３３部により前記カバー３の下端両側部に底部を形成するように構成してある（図３、図６参照）。これにより、カバー３に差し込んだ背見出し紙４の下端の両側部を前記両熱溶着３３，３３部と当接して係止させるようになっている。
【００２０】
前記カバー３の透明フィルム３１は、例えばポリプロピレンやポリエチレンその他のオレフィン系樹脂で構成されている。オレフィン系樹脂は燃焼時における有毒ガス等の発生量が少ない。したがって、前記透明フィルム３１の素材としてオレフィン系樹脂を採用することにより、公害問題の発生防止に貢献することができる。また、オレフィン系樹脂は、これを紙材に熱溶着した際に、例えば塩化ビニルなどに比べて溶着性が強力ではない。そのため、紙材に熱溶着されている前記カバー３を強く引っ張ることにより、剥がすことが可能である。したがって、カバー３をファイル表紙１から剥がして取り除き、ファイル表紙１の紙材を再生資源として利用することができる。
【００２１】
なお、オレフィン系樹脂で構成した前記フィルム３１は、例えば塩化ビニル製等のフィルムと比べて伸縮性が少ない。そのため、表紙１上にフィルム３１を単に重ね合わせて両側部を熱溶着すると、表表紙１４及び裏表紙１５を折り線１２，１２に沿って折曲する際に、フィルム３１に無理な力が掛かって折り曲げが円滑にできないのみならず、無理に折り曲げるとフィルム３１の熱溶着３２が表紙１から剥がれる等の問題が生じる恐れがある。そこで、この実施の形態１では、図４に示すように、表紙１とフィルム３１との間に若干の間隙部３４を形成して、フィルム３１の両側部を表紙１に熱溶着３２，３２してある。このように構成すると、両表紙１４，１５の折り曲げが容易、かつ円滑に行なえると共に図７に示すように、両表紙１４，１５を折り曲げた際に、フィルム３１が表紙１の背部１３に密に接触して重合される。また、背見出し紙４をカバー３に差し込んだ際にも前記と同様の状態で行なえる（この場合には、表紙１と背見出し紙４及びフィルム３１の三者が密に接触して重合される）。
【００２２】
前記フィルム表紙１の背部１３の下端部近く及び前記カバー３の下端部近くには、位置を合致させて形成した適当の大きさの手掛用の孔１６，３５が設けてある。これにより、前記両孔３５，１６を通して指（図示せず）を挿入できるようにしてある。
【００２３】
前記背見出し紙４は前記カバー３と対応する大きさの長方形の紙材で構成されている。この背見出し紙４は前記カバー３に差替え可能に差し込んで使用するもので、背見出し紙４の差し込み側の端部（図において下端部）近くには前記手掛用の孔１６，３５と対応させて形成した手掛用の孔４１が設けてある。そこで、図６に示すように、背見出し紙４の前記孔４１側端部を下向きにして、背見出し紙４を前記カバー３に最後まで差し込むと、背見出し紙４の前記孔４１は背部１３及びカバー３に設けた前記両孔１６，３５と一致してカバー３内に収容される。したがって、カバー３へ背見出し紙４を差し込んだ状態で前記各孔１６，３５，４１を通して指を挿入することができる。
【００２４】
実施の形態１の綴込ファイルは上記のように構成し、背見出し紙４を背見出しカバー３に差し込むと、背見出し紙の前記孔４１は背部１３及びカバー３に設けた前記各孔１６，３５と一致するので、これらの各孔を通して指を自由に挿入することができる。また、背見出し紙を差し替えて使用することができる。さらにまた、綴じ具をファイル表紙から取外し、分別して再生資源として利用することができる。
【００２５】
図８は本発明の綴込ファイルの他の実施の形態（実施の形態２）を示す説明図である。この実施の形態２は綴じ具の取付位置の構成に特徴がある。
【００２６】
即ち、実施の形態２の綴じ具２Ａは金属材等で造られ、前記表紙１の裏表紙１５の内側面に取外し可能に取り付けてある。綴じ具２Ａを裏表紙１５に対して取外し可能に取り付ける手段は前記と同様に任意の構成を採用することができる。また、綴じ具２Ａは任意の構成のものを採用することができる。他の構成は実施の形態１と同様であるため、同一構成部分に同一符号を付して説明を省略する。なお、背見出し紙の構成についても実施の形態１と全く同様である。
【００２７】
実施の形態２は上記のように構成したもので、実施の形態１と同様に使用し、同様の作用効果を奏する。
【００２８】
【発明の効果】
本発明によれば綴込ファイルにおいて、手掛用の孔及び背見出しカバーの両方の長所を有効的に活用した綴込ファイルを提供することができる。また、請求項２記載の発明によれば、前記効果に加え、綴じ具をファイル表紙から取外し、分別して再生資源として利用することができる。
【図面の簡単な説明】
【図１】本発明の綴込ファイルの一実施の形態の全体構成の概要を示す斜視図。
【図２】同上ファイルを内側面から見た斜視図。
【図３】同上ファイルの一部を拡大して示す展開表面図。
【図４】図３のＡ−Ａ線断面図。
【図５】同上ファイルの綴じ具の取付け部分を説明するために示す説明図であって、同図ａは取付部分全体を示す説明図、同図ｂは背部に設けたリベットの取付部分を示す説明図、同図ｃは綴じ具の底板に設けた取付用係合部の部分を示す説明図。
【図６】ファイル表紙の背見出しカバーへ背見出し紙を差し込む状態を示す説明図であって、同図ａは途中まで差し込んだ状態を示す図、同図ｂは最後まで差し込んだ状態を示す図。
【図７】図６ｂのＢ−Ｂ線で切断し、表表紙及び裏表紙を折り線に沿ってそれぞれ内側に折曲した状態を示す断面図。
【図８】本発明の綴込ファイルの他の実施の形態を示す説明図。
【符号の説明】
１…ファイル表紙、２…綴じ具、３…背見出しカバー、４…背見出し紙、１３…背部、１４…表表紙、１５…裏表紙、１６，３５，４１…手掛用の孔
【図１】
0003709555.tif 000002
【図２】
0003709555.tif 000003
【図３】
0003709555.tif 000004
【図４】
0003709555.tif 000005
【図５】
0003709555.tif 000006
【図６】
0003709555.tif 000007
【図７】
0003709555.tif 000008
【図８】
0003709555.tif 000009